(57)【要約】【課題】  チケットやポスターなどの印刷物への、電子透かし画像を用いた情報提供システムおよびその方法、プログラムおよびプログラム記録媒体を提供する。【解決手段】  印刷物に対して目視にて判読不能に情報を挿入するために該情報を変換して電子透かし画像を生成するための電子透かし画像生成手段１０により電子透かし画像を生成し、電子透かし画像生成手段から取得した電子透かし画像を任意の強度で強調可能な強調手段により電子透かし画像を任意の強度で強調し、強調手段により強調された電子透かし画像を挿入して印刷物３０を印刷手段１０３により印刷し、印刷物３０に挿入された電子透かし画像を読取り情報に変換して抽出するための情報抽出手段２０により情報を抽出する。【選択図】      図１
2005198198.tif 000002
【特許請求の範囲】
【請求項１】
印刷物に対して目視にて判読不能に情報を挿入するために該情報を変換して電子透かし画像を生成するための電子透かし画像生成手段と、
前記電子透かし画像生成手段から取得した前記電子透かし画像に挿入された前記情報を任意の強度で強調可能な強調手段と、
前記強調手段により強調された前記電子透かし画像を挿入して前記印刷物を印刷するための印刷手段と、
前記印刷物に挿入された前記電子透かし画像を読取り前記情報に変換して抽出するための情報抽出手段と、
を備えることを特徴とする電子透かし画像を用いた情報提供システム。
【請求項２】
前記電子透かし画像生成手段は、
前記印刷物に印刷された画像を表現する画像信号を構成する周波数成分を変調して前記情報を前記電子透かし画像に変換することを特徴とする請求項１に記載の電子透かし画像を用いた情報提供システム。
【請求項３】
前記印刷手段は、
前記印刷物の一部分にのみ前記電子透かし画像を挿入することを特徴とする請求項１または２のいずれかに記載の電子透かし画像を用いた情報提供システム。
【請求項４】
前記印刷物は、すくなくとも、ポスター、名刺、パンフレット、チラシ、チケットのうちいずれかを含むことを特徴とする請求項１〜３のいずれかに記載の電子透かし画像を用いた情報提供システム。
【請求項５】
前記電子透かし画像生成手段は、
複数の前記印刷物を個別に識別可能な固有情報を前記電子透かし画像に変換し、
前記情報抽出手段は、前記固有情報により一意に呼び出される関連情報を記憶した関連情報記憶手段にネットワークを介して接続しており、前記電子透かし画像から読取った前記固有情報に基づいて前記関連情報を取得することを特徴とする請求項１〜４のいずれかに記載の電子透かし画像を用いた情報提供システム。
【請求項６】
印刷物に対して目視にて判読不能に情報を挿入するために該情報を変換して電子透かし画像を生成するための電子透かし画像生成手段により前記電子透かし画像を生成し、
前記電子透かし画像生成手段から取得した前記電子透かし画像に挿入された前記情報を任意の強度で強調可能な強調手段により前記電子透かし画像を任意の強度で強調し、
前記強調手段により強調された前記電子透かし画像を挿入して前記印刷物を印刷手段により印刷し、
前記印刷物に挿入された前記電子透かし画像を読取り前記情報に変換して抽出するための情報抽出手段により前記情報を抽出することにより、前記印刷物に前記情報を挿入あるいは抽出することを特徴とする電子透かし画像を用いた情報提供方法。
【請求項７】
前記電子透かし画像生成手段は、
前記印刷物に印刷された画像を表現する画像信号を構成する周波数成分を変調して前記情報を前記電子透かし画像に変換することを特徴とする請求項６に記載の電子透かし画像を用いた情報提供方法。
【請求項８】
前記印刷手段は、
前記印刷物の一部分にのみ前記電子透かし画像を挿入することを特徴とする請求項６または７のいずれかに記載の電子透かし画像を用いた情報提供方法。
【請求項９】
前記印刷物は、
すくなくとも、ポスター、名刺、パンフレット、チラシ、チケットのうちいずれかを含むことを特徴とする請求項６〜８のいずれかに記載の電子透かし画像を用いた情報提供方法。
【請求項１０】
前記電子透かし画像生成手段は、
複数の前記印刷物を個別に識別可能な固有情報を前記電子透かし画像に変換し、
前記情報抽出手段は、前記固有情報により一意に呼び出される関連情報を記憶した関連情報記憶手段にネットワークを介して接続しており、前記電子透かし画像から読取った前記固有情報に基づいて前記関連情報を取得することを特徴とする請求項６〜９のいずれかに記載の電子透かし画像を用いた情報提供方法。
【請求項１１】
印刷物に対して目視にて判読不能に情報を挿入するために該情報を変換して電子透かし画像を生成するための電子透かし画像生成手段により前記電子透かし画像を生成し、
前記電子透かし画像生成手段から取得した前記電子透かし画像に挿入された前記情報を任意の強度で強調可能な強調手段により前記情報を任意の強度で強調し、
前記強調手段により強調された前記電子透かし画像を挿入して前記印刷物を印刷手段により印刷し、
前記印刷物に挿入された前記電子透かし画像を読取り前記情報に変換して抽出するための情報抽出手段により前記情報を抽出することにより、前記印刷物に前記情報を挿入あるいは抽出することを特徴とする電子透かし画像を用いた情報提供プログラム。
【請求項１２】
前記電子透かし画像生成手段は、
前記印刷物に印刷された画像を表現する画像信号を構成する周波数成分を変調して前記情報を前記電子透かし画像に変換することを特徴とする請求項１１に記載の電子透かし画像を用いた情報提供プログラム。
【請求項１３】
前記印刷手段は、
前記印刷物の一部分にのみ前記電子透かし画像を挿入することを特徴とする請求項１１または１２のいずれかに記載の電子透かし画像を用いた情報提供プログラム。
【請求項１４】
前記印刷物は、
すくなくとも、ポスター、名刺、パンフレット、チラシ、チケットのうちいずれかを含むことを特徴とする請求項１１〜１３のいずれかに記載の電子透かし画像を用いた情報提供プログラム。
【請求項１５】
前記電子透かし画像生成手段は、
複数の前記印刷物を個別に識別可能な固有情報を前記電子透かし画像に変換し、
前記情報抽出手段は、前記固有情報により一意に呼び出される関連情報を記憶した関連情報記憶手段にネットワークを介して接続しており、前記電子透かし画像から読取った前記固有情報に基づいて前記関連情報を取得することを特徴とする請求項１１〜１４のいずれかに記載の電子透かし画像を用いた情報提供プログラム。
【請求項１６】
前記ネットワーク上に配置されたサーバにインストールされて動作可能なことを特徴とする請求項１５に記載の電子透かし画像を用いた情報提供プログラム。
【請求項１７】
印刷物に対して目視にて判読不能に情報を挿入するために該情報を変換して電子透かし画像を生成するための電子透かし画像生成手段により前記電子透かし画像を生成し、
前記電子透かし画像生成手段から取得した前記電子透かし画像に挿入された前記情報を任意の強度で強調可能な強調手段により前記情報を任意の強度で強調し、
前記強調手段により強調された前記電子透かし画像を挿入して前記印刷物を印刷手段により印刷し、
前記印刷物に挿入された前記電子透かし画像を読取り前記情報に変換して抽出するための情報抽出手段により前記情報を抽出することにより、前記印刷物に前記情報を挿入あるいは抽出することを特徴とする電子透かし画像を用いた情報提供プログラムを記録した記録媒体。
【請求項１８】
前記電子透かし画像生成手段は、
前記印刷物に印刷された画像を表現する画像信号を構成する周波数成分を変調して前記情報を前記電子透かし画像に変換することを特徴とする請求項１７に記載の電子透かし画像を用いた情報提供プログラムを記録した記録媒体。
【請求項１９】
前記印刷手段は、
前記印刷物の一部分にのみ前記電子透かし画像を挿入することを特徴とする請求項１７または１８のいずれかに記載の電子透かし画像を用いた情報提供プログラムを記録した記録媒体。
【請求項２０】
前記印刷物は、すくなくとも、ポスター、名刺、パンフレット、チラシ、チケットのうちいずれかを含むことを特徴とする請求項１７〜１９のいずれかに記載の電子透かし画像を用いた情報提供プログラムを記録した記録媒体。
【請求項２１】
前記電子透かし画像生成手段は、
複数の前記印刷物を個別に識別可能な固有情報を前記電子透かし画像に変換し、
前記情報抽出手段は、前記固有情報により一意に呼び出される関連情報を記憶した関連情報記憶手段にネットワークを介して接続しており、前記電子透かし画像から読取った前記固有情報に基づいて前記関連情報を取得することを特徴とする請求項１７〜２０のいずれかに記載の電子透かし画像を用いた情報提供プログラムを記録した記録媒体。
【請求項２２】
前記ネットワーク上に配置されたサーバにインストールされて動作可能なことを特徴とする請求項２１に記載の電子透かし画像を用いた情報提供プログラムを記録した記録媒体。
【発明の詳細な説明】
【技術分野】
【０００１】
本発明は、チケットやポスターなどの印刷物への、電子透かし画像を用いた情報提供システムおよびその方法、プログラムおよびプログラム記録媒体に関する。
【背景技術】
【０００２】
現在、パーソナルコンピュータ（ＰＣ）は名簿管理やチケットなどの売上管理など、幅広い用途に使われている。ＰＣをこれらのような印刷物の情報処理に用いるためには、名前、住所などの個人情報や、チケットに関する情報（有効日時、効力情報、所持人情報など）をキーボードから文字を入力する動作が必要であるため、キーボードから誤りなく文字を入力し、すばやく所望の動作を実行するには習熟が必要である。このため、これらの情報をより簡易に入力できる方法が期待されている。
【０００３】
また、個人情報やチケットに関する情報は時と共に変化する。この変化とは、たとえば個人の住所が変わったり、チケットが有効な興行の予定変更に伴う有効日時の変化などである。こうした変化があった場合に、印刷物ではこうした情報の変化に対応した更新情報を提供することは難しい。そこで、このような情報を即座に提供できれば、これらの利用者の利便性が向上する。
【０００４】
ＰＣへの情報入力を簡便化する手段として、名刺やチケットなどの面上に印刷された画像を介する手段がある。この手段は、個人情報やチケットなどに関する情報をコード化し、コード情報を挿入された画像を名刺やチケット面にあらかじめ印刷する。コード情報を挿入された画像として代表的なものにバーコードがある。このようなコード情報を挿入された画像をディジタルカメラなどで読込み、画像データを解析して挿入された情報を抽出し、ＰＣへの入力とするものである。（特許文献参照）
【特許文献１】公開特許公報：「特開２００２−２５９２４９号」
【発明の開示】
【発明が解決しようとする課題】
【０００５】
しかしながら、従来の技術においては、バーコード画像のために特別な領域を確保する必要があることや、チケットや名刺などの表面の外観を損ねるという欠点があった。これに対して、チケット表面などの画像に直接、電子透かしによって情報を埋め込んだものを介する方法もあるが、埋め込んだ情報を確実に読み取れるように強調して印刷した場合、たとえばチケットや名刺、ポスターなどの画質の低下させるという欠点があった。
【０００６】
本発明は上記の点に鑑みてなされたものであり、電子透かしを挿入された画像を介して情報を容易にＰＣへ入力でき、
また、電子透かしの変調の度合いを強くしても印刷物の外観への影響を少なくでき、また、電子透かしを挿入する際の変調の強度をある程度以上強くすることにより読取確度を向上でき、
また、印刷物の一部分にのみ電子透かしを挿入することができるので、外観への影響を少なくでき、
また、印刷物に対して多くの情報を電子透かしとして挿入することが可能となり、
また、コンピュータネットワークを介してチケットなどの印刷物の電子透かしに係る情報を即時に提供可能な電子透かし画像を用いた情報提供システムおよびその方法、プログラムおよびプログラム記録媒体を提供することを目的とする。
【課題を解決するための手段】
【０００７】
請求項１に記載の本発明は、印刷物に対して目視にて判読不能に情報を挿入するために該情報を変換して電子透かし画像を生成するための電子透かし画像生成手段と、前記電子透かし画像生成手段から取得した前記電子透かし画像に挿入された前記情報を任意の強度で強調可能な強調手段と、前記強調手段により強調された前記電子透かし画像を挿入して前記印刷物を印刷するための印刷手段と、前記印刷物に挿入された前記電子透かし画像を読取り前記情報に変換して抽出するための情報抽出手段と、を備える。
【０００８】
また、請求項２に記載の本発明は、請求項１において、前記電子透かし画像生成手段は、前記印刷物に印刷された画像を表現する画像信号を構成する周波数成分を変調して前記情報を前記電子透かし画像に変換する。
【０００９】
また、請求項３に記載の本発明は、請求項１または２のいずれかにおいて、前記印刷手段は、前記印刷物の一部分にのみ前記電子透かし画像を挿入する。
【００１０】
また、請求項４に記載の本発明は、請求項１〜３のいずれかにおいて、前記印刷物は、すくなくとも、ポスター、名刺、パンフレット、チラシ、チケットのうちいずれかを含む。
【００１１】
また、請求項５に記載の本発明は、請求項１〜４のいずれかにおいて、前記電子透かし画像生成手段は、複数の前記印刷物を個別に識別可能な固有情報を前記電子透かし画像に変換し、前記情報抽出手段は、前記固有情報により一意に呼び出される関連情報を記憶した関連情報記憶手段にネットワークを介して接続しており、前記電子透かし画像から読取った前記固有情報に基づいて前記関連情報を取得する。
【００１２】
また、請求項６に記載の本発明は、印刷物に対して目視にて判読不能に情報を挿入するために該情報を変換して電子透かし画像を生成するための電子透かし画像生成手段により前記電子透かし画像を生成し、前記電子透かし画像生成手段から取得した前記電子透かし画像に挿入された前記情報を任意の強度で強調可能な強調手段により前記電子透かし画像を任意の強度で強調し、前記強調手段により強調された前記電子透かし画像を挿入して前記印刷物を印刷手段により印刷し、前記印刷物に挿入された前記電子透かし画像を読取り前記情報に変換して抽出するための情報抽出手段により前記情報を抽出することにより、前記印刷物に前記情報を挿入あるいは抽出する。
【００１３】
また、請求項７に記載の本発明は、請求項６において、前記電子透かし画像生成手段は、前記印刷物に印刷された画像を表現する画像信号を構成する周波数成分を変調して前記情報を前記電子透かし画像に変換する。
【００１４】
また、請求項８に記載の本発明は、請求項６または７のいずれかにおいて、前記印刷手段は、前記印刷物の一部分にのみ前記電子透かし画像を挿入する。
【００１５】
また、請求項９に記載の本発明は、請求項６〜８のいずれかにおいて、前記印刷物は、すくなくとも、ポスター、名刺、パンフレット、チラシ、チケットのうちいずれかを含む。
【００１６】
また、請求項１０に記載の本発明は、請求項６〜９のいずれかにおいて、前記電子透かし画像生成手段は、複数の前記印刷物を個別に識別可能な固有情報を前記電子透かし画像に変換し、前記情報抽出手段は、前記固有情報により一意に呼び出される関連情報を記憶した関連情報記憶手段にネットワークを介して接続しており、前記電子透かし画像から読取った前記固有情報に基づいて前記関連情報を取得する。
【００１７】
また、請求項１１に記載の本発明は、印刷物に対して目視にて判読不能に情報を挿入するために該情報を変換して電子透かし画像を生成するための電子透かし画像生成手段により前記電子透かし画像を生成し、前記電子透かし画像生成手段から取得した前記電子透かし画像に挿入された前記情報を任意の強度で強調可能な強調手段により前記情報を任意の強度で強調し、前記強調手段により強調された前記電子透かし画像を挿入して前記印刷物を印刷手段により印刷し、前記印刷物に挿入された前記電子透かし画像を読取り前記情報に変換して抽出するための情報抽出手段により前記情報を抽出することにより、前記印刷物に前記情報を挿入あるいは抽出する。
【００１８】
また、請求項１２に記載の本発明は、請求項１１において、前記電子透かし画像生成手段は、前記印刷物に印刷された画像を表現する画像信号を構成する周波数成分を変調して前記情報を前記電子透かし画像に変換する。
【００１９】
また、請求項１３に記載の本発明は、請求項１１または１２のいずれかにおいて、前記印刷手段は、前記印刷物の一部分にのみ前記電子透かし画像を挿入する。
【００２０】
また、請求項１４に記載の本発明は、請求項１１〜１３のいずれかにおいて、前記印刷物は、すくなくとも、ポスター、名刺、パンフレット、チラシ、チケットのうちいずれかを含む。
【００２１】
また、請求項１５に記載の本発明は、請求項１１〜１４のいずれかにおいて、前記電子透かし画像生成手段は、複数の前記印刷物を個別に識別可能な固有情報を前記電子透かし画像に変換し、前記情報抽出手段は、前記固有情報により一意に呼び出される関連情報を記憶した関連情報記憶手段にネットワークを介して接続しており、前記電子透かし画像から読取った前記固有情報に基づいて前記関連情報を取得する。
【００２２】
また、請求項１６に記載の本発明は、請求項１５において、前記ネットワーク上に配置されたサーバにインストールされて動作可能である。
【００２３】
また、請求項１７に記載の本発明は、印刷物に対して目視にて判読不能に挿入する情報を変換して電子透かし画像を生成するための電子透かし画像生成手段により前記電子透かし画像を生成し、前記電子透かし画像生成手段から取得した前記電子透かし画像に挿入された前記情報を任意の強度で強調可能な強調手段により前記情報を任意の強度で強調し、前記強調手段により強調された前記電子透かし画像を挿入して前記印刷物を印刷手段により印刷し、前記印刷物に挿入された前記電子透かし画像を読取り前記情報に変換して抽出するための情報抽出手段により前記情報を抽出することにより、前記印刷物に前記情報を挿入あるいは抽出することを特徴とする電子透かし画像を用いた情報提供プログラムを記録する。
【００２４】
また、請求項１８に記載の本発明は、請求項１７において、前記電子透かし画像生成手段は、前記印刷物に印刷された画像を表現する画像信号を構成する周波数成分を変調して前記情報を前記電子透かし画像に変換することを特徴とする電子透かし画像を用いた情報提供プログラムを記録する。
【００２５】
また、請求項１９に記載の本発明は、請求項１７または１８のいずれかにおいて、前記印刷手段は、前記印刷物の一部分にのみ前記電子透かし画像を挿入することを特徴とする電子透かし画像を用いた情報提供プログラムを記録する。
【００２６】
また、請求項２０に記載の本発明は、請求項１７〜１９のいずれかにおいて、前記印刷物は、すくなくとも、ポスター、名刺、パンフレット、チラシ、チケットのうちいずれかを含むことを特徴とする電子透かし画像を用いた情報提供プログラムを記録する。
【００２７】
また、請求項２１に記載の本発明は、請求項１７〜２０のいずれかにおいて、前記電子透かし画像生成手段は、複数の前記印刷物を個別に識別可能な固有情報を前記電子透かし画像に変換し、前記情報抽出手段は、前記固有情報により一意に呼び出される関連情報を記憶した関連情報記憶手段にネットワークを介して接続しており、前記電子透かし画像から読取った前記固有情報に基づいて前記関連情報を取得することを特徴とする電子透かし画像を用いた情報提供プログラムを記録する。
【００２８】
また、請求項２２に記載の本発明は、請求項２１において、前記ネットワーク上に配置されたサーバにインストールされて動作可能なことを特徴とする電子透かし画像を用いた情報提供プログラムを記録する。
【発明の効果】
【００２９】
本発明によれば、電子透かしを挿入された画像を介して情報を容易にＰＣへ入力でき、
また、電子透かしの変調の度合いを強くしても印刷物の外観への影響を少なくでき、また、電子透かしを挿入する際の変調の強度をある程度以上強くすることにより読取確度を向上でき、
また、印刷物の一部分にのみ電子透かしを挿入することができるので、外観への影響を少なくでき、
また、印刷物に対して多くの情報を電子透かしとして挿入することが可能となり、
また、コンピュータネットワークを介してチケットなどの印刷物の電子透かしに係る情報を即時に提供可能な電子透かし画像を用いた情報提供システムおよびその方法、プログラムおよびプログラム記録媒体を提供することができる。
【発明を実施するための最良の形態】
【００３０】
図１は、本発明の第１〜３の実施の形態を説明するための図であって、本発明に係る電子透かし挿入システム１０と、電子透かし読取り・情報抽出システム２０と、電子透かしを印刷した透かし入り印刷物３０を示している。また、電子透かし挿入システム１０を制御するコンピュータ１０１と、イメージスキャナやディジタルカメラや画像ファイルサーバなどを含む画像入力装置により構成される画像入力部分１０２とを備えている。
【００３１】
また、電子透かし読取り・情報抽出システム２０は、電子透かしを挿入した画像を出力するプリンタ１０３と、カメラを接続したＰＣやカメラつき携帯電話などによって電子透かしを挿入した画像を入力するカメラ部分２０１と、カメラ部分２０１から入力された画像を解析し挿入された透かし情報を抽出する透かし解析サーバ２０２と、透かしに埋め込まれた情報と、名簿やチケットの内容などの対応を記憶したＤＢを有するＤＢサーバ２０３部分とを備えている。
【００３２】
＜第１の実施の形態＞
「印刷物に対応する情報のＤＢ（Ｄａｔａ  Ｂａｓｅ）への入力」
まず、印刷物上に電子透かしとして挿入する情報（数字など）と、それに対応してＰＣへ入力したい情報を予め対応付け、ＤＢサーバ２０３へ入力する。印刷物に対応する情報としては、個人に対応する氏名、住所、電話番号などの個人情報や、チケットに対応する情報（当該チケットが有効な日時、当該チケットの効力、所持情報など）などである。
【００３３】
「印刷物への電子透かし画像の書き込み」
予め、画像入力部分１０２から名刺やチケットなどの印刷物のオリジナル画像を入力する。次いでコンピュータ１０１において、印刷物に挿入したい情報（数字など）を入力する。ここで入力する情報はＤＢサーバ２０３に入力する際に決定した情報である。コンピュータ１０１では、この情報を元に画像入力部分１０２から入力された画像に改変を加え、電子透かしを挿入された画像を生成する。
【００３４】
生成された画像はプリンタ１０３によって印刷される。ここで、オリジナル画像の周波数成分に変調を加える方式の場合を例にすると、周波数成分の変調による電子透かしの挿入方法は、図２に示すように、まず、電子透かしを挿入する前の元画像１をフーリエ変換によって周波数領域に変換する。変換した結果の例を図２中の分布図２に示す。次に電子透かしとして挿入する情報を予めコード化して分布図２に示すように処理し、周波数領域において画像をフーリエ変換した場合の分布図３と重畳する。
【００３５】
こうして得られた図２中の分布図４に示される周波数領域でのパターンを逆フーリエ変換すれば、電子透かしを挿入した花模様５が得られる。変調の度合の調節は情報をコード化したものを重畳する際の強度を調節することで実行できる。あるいは、文献（中村、小川、高嶋、「静止画に対する電子すかし技術」ＮＴＴ  Ｒ＆Ｄ  Ｖｏｌ４７、ｐｐ７１１−７１４、電気通信協会、１９９８）の方法によっても実現できる。これらの方法において変調の度合いを大きくすると、より多くの情報を挿入することができる。つまり、電子透かしを挿入した画像のうち、情報を表す透かし成分を強調することで、多くの情報を挿入することが可能になる。なお、オリジナル画像からの変化が大きくなるという特徴があるものの、たとえば印刷物の背景模様としたりすることにより、情報挿入に伴う模様の違和感を目立たなくすることができる。
【００３６】
「電子透かしを挿入された画像の読込みとＰＣへの情報入力」
図１を参照して、電子透かし挿入システム１０によって電子透かしを挿入した画像をカメラ部分２０１より読み取ると、その画像のデータは透かし解析サーバ２０２に送信され、挿入された電子透かし情報の抽出を行う。この方法は、模式的にまず図２の処理画像５の画像にフーリエ変換を施し、図２中の分布図４のような周波数領域でのパターンを得る。このパターンに対し、図２中の分布図３のようなパターンが含まれているか否かを判定するものである。あるいは、文献（中村、小川、高嶋、「静止画に対する電子すかし技術」ＮＴＴ  Ｒ＆Ｄ  Ｖｏｌ４７、ｐｐ７１１−７１４、電気通信協会、１９９８）の方法で挿入された画像に対しては、（特開２００２−２３２６７５号公報）の方法によって電子透かし情報を抽出できる。ＤＢサーバ２０３において、透かし解析サーバ２０２で抽出された情報をもとに、対応するＰＣへ入力したい情報を決定し、ＰＣへの入力情報とする。
【００３７】
ここで、透かし解析サーバ２０２での情報読み取りの精度は画像入力部分１０２でより強く変調をかけたほうがより向上する。このように、より強く変調をかけた場合でも名刺やチケットとして不自然な画像とはならないため、必要とされる精度を満たすのに十分な強さで透かしを挿入することができる。この強さは、たとえば、図１の系で書き込みと読み出しを繰り返し、その後に読み取り精度を評価することによって決定することができる。なお、変調を強調するのは電子透かしの情報を示す周波数部分のみであり、電子透かし情報が挿入された透かし画像全体を強調することを意図するものではない。
【００３８】
＜第２の実施の形態＞
第１の実施の形態における「印刷物への電子透かし画像の書き込み」において、例えば図３のようなチケット６の画像を、特徴的な画像の部分である花模様５と、チケット６のみのそれぞれの部分に分離する。次に、チケット６の画像にのみ電子透かし情報を埋め込み、花模様５の画像と合成する。こうすることによって特徴的な花模様５の画像の部分を劣化させることなく、電子透かしを埋め込んだ画像を備えたチケット６を生成することができる。電子透かしが埋め込まれたチケット６は、背景部分に地紋様に模様が違和感なく浮き出ている。
【００３９】
＜第３の実施の形態＞
「チケットに関連する情報の提供」
第１の実施の形態の「電子透かしを挿入された画像の読込みとＰＣへの情報入力」において、ＤＢサーバ２０３にて例えば個々のチケットに対応するＵＲＬをあらかじめ記述しておく。第１の実施の形態の「電子透かしを挿入された画像の読込みとＰＣへの情報入力」によってチケットの電子透かし情報を抽出し、これをもとにＤＢサーバ２０３で得られるＵＲＬを予めネットワークに接続されたＰＣに入力すれば、ネットワーク中にあるＷｅｂサーバからそのチケットに関連する情報を提供することができる。これによって、例えばチケットの有効日時の変化などの情報も即座に伝えることができる。
【００４０】
本発明では、電子透かしによって画像に情報を挿入する場合の画像の変化に着目し、より多くの情報を画像に挿入した場合でも、印刷物としての品質を大きく損ねることのない方法によって解決する。すなわち、より多くの情報を挿入した場合の画像が、名刺やチケットなどの印刷物の外観としてより自然なものとなる電子透かし埋め込み方法を用いることによって解決する。具体的には、電子透かしの挿入方式を工夫することにより電子透かしを挿入した場合の画像の変化が印刷媒体の地紋などに近い模様とすることができ、先に述べた問題が解決される。このような電子透かしの挿入方式として、たとえば周波数成分に変調を加える方式がある。
【００４１】
以上説明したように、本方法では電子透かしを挿入された画像を介してＰＣへ入力したい情報を表現し、それをディジタルカメラのような画像入力装置によって入力するため、キーボード操作を習熟することなくＰＣへの情報入力が可能である。
【００４２】
また、電子透かしを挿入された画像は、電子透かし画像のうち、透かし成分（情報を表す周波数変調成分）の変調の度合いを強くした場合でも印刷物の地紋様のように繰り返しのパターンとなることが多く、チケットや名刺などのＰＣへ入力したい情報の媒体となることの多い印刷物の地紋と似ていることが多いため、印刷物としての外観を損ねることが少ない。
【００４３】
また、図４の電子透かし変調強度の相関図７に示すように、電子透かしを挿入する際の透かし成分に対する変調の強度をある程度以上強くすることで、電子透かし情報の検出の効率を向上させることができる。この場合、例えば電子透かしの画像の周波数に対する変調の強度を徐々に強くしていくと、相対値で２００の近辺を境にして透かし検出の確率が上昇する。相対値が４００程度の変調強度では約５０パーセント程度の透かし検出率を示し、相対値が５００程度の変調強度で、約１００パーセントの透かし検出率を示す。このように、電子透かしの透かし成分の周波数変調の強度を強くすることにより、電子透かしの読取り確率を上昇させることができる。
【００４４】
また、印刷物の一部分に電子透かしを挿入することもできるので、より印刷物としての美観劣化を防止することも可能である。よって、印刷物に対してより多くの情報を挿入することが可能である。また、コンピュータネットワークによってチケットなどに関する情報を即座に提供することも可能である。
【図面の簡単な説明】
【００４５】
【図１】本発明に係る、実施の形態における電子透かしの埋め込み・読取りシステムを説明するための概略の構成図を示す。
【図２】本発明に係る、実施の形態における電子透かしの埋め込み方式の概念図を示す。
【図３】本発明に係る、実施の形態における電子透かしの埋め込み方式の概念図を示す。
【図４】本発明に係る、実施の形態における電子透かしの埋め込み方式の変調強度と検出の確率との関係を示す。
【符号の説明】
【００４６】
１  元画像
２、３、４  分布図
５  花模様
６  チケット
７  電子透かし変調強度の相関図
１０  電子透かし挿入システム（電子透かし画像生成手段）
２０  電子透かし読取り・情報抽出システム（情報抽出手段）
３０  透かし入り印刷物（印刷物）
１０１  コンピュータ
１０２  画像入力部分
１０３  プリンタ（印刷手段）
２０１  カメラ部分
２０２  透かし解析サーバ
２０３  ＤＢサーバ
【図１】
2005198198.tif 000003
【図２】
2005198198.tif 000004
【図３】
2005198198.tif 000005
【図４】
2005198198.tif 000006